(57)【要約】【課題】ネットワークを用いた広告配信の広告効果を高め、かつ効率的にアンケート、及び広告配信を行うことを目的とする。【解決手段】利用者はユーザーとして、住居区域などの情報を登録し、ユーザーの情報はユーザー管理サーバ２によって管理される。広告配信はユーザーにはアプリケーション８として提供され、アプリケーション８を起動することにより、ユーザー管理サーバ２にログインする。広告配信サーバ３はアプリケーション８に対して登録ユーザーの情報を元に広告を配信する。同様にアンケートサーバ５は、アプリケーション８に対してアンケートの存在を通知する。広告表示およびアンケート回答毎にユーザーにはポイントがたまり、ポイントはポイント管理サーバ４によって管理される。ポイントは電子取引商６などによって還元される。これら一連の情報のやり取りはネットワーク１を介して行われる。【選択図】  図１
2005228287.tif 000002
【特許請求の範囲】
【請求項１】
利用者はユーザー登録し、利用者に対しネットワークを介して広告配信及びアンケート業務を行うシステムであり、広告配信及びアンケートはユーザー管理サーバによって管理されている各ユーザーの情報を元に効率的に配信／通知され、ユーザーに対する配信／通知はアプリケーションとして提供し、また広告配信及びアンケート回答毎にユーザーに対してポイントによって還元され、ポイントは電子商店や電子商店街などのｅコマース、その他サービスもしくは金銭によって還元されるアンケートと広告配信を統合した配信／通知システム。
【発明の詳細な説明】
【発明の詳細な説明】
【技術分野】
【０００１】  本発明は、ネットワークを介した広告およびアンケートの配信／通知システムに関する。
【背景技術】
【０００２】  従来のネットワークを介した広告配信は、不特定多数に広告配信するもので、広告効果を考えた場合非常に効率の非常に悪いものである。【０００３】  また従来のネットワーク広告はｅコマースや大手メーカー、大手小売店のように全国規模のマーケットをもっている事業主のみが対象である。【０００４】  従来のホームページにはりつけるようなネットワーク広告は、ユーザーへの還元がホームページへのアクセス数によって左右される上に、かなりのアクセス数がないと還元がほとんどないため利用ユーザーにとっても魅力の薄いものであるため、ユーザーの獲得が難しい。
【発明の解決しようとする課題】
【０００５】  本発明は不特定多数に広告配信するような、効率の悪い広告でなく高い広告効果を実現する。
【０００６】  全国規模のマーケットをもっている事業主のみだけでなく一部地域のみでの
み活動している事業主も対象にする。
【０００７】  ユーザーに対して魅力の薄いものでなく、ユーザーに対してより高い魅力を実現する。
【課題を解決するための手段】
【０００８】  本発明では上記課題を解決するために以下のような手段を提供する。
【０００９】  また、以下で述べる広告配信方法およびアンケート方法はユーザーに対して専用アプリケーションとして提供することにより実現する。
【００１０】  ユーザーの個人情報を管理し、管理される各ユーザーの情報をもとに効率的に配信を行うことにより広告効果を高める。
【００１１】  また上記のようにユーザーの情報をもとに広告配信を行うことにより、特定地域のユーザーのみへの広告の配信が可能となり、それにより全国規模のマーケットを持つ事業主のみが対象という問題を解決でき、特定地域のみで活動している事業主も広告主にできるために、あらたなネットワーク広告のマーケットを開拓でき、これによりより多くの広告主を獲得する。
【００１２】  必要であれば、ユーザー情報は初期登録時の情報だけでなく、ユーザーが反応を示した広告などをもとに各ユーザーの嗜好性を収集することでユーザーのより細かい特性をえることができ、こうして得た嗜好性をもとに広告配信を行うことによりさらに広告効果を向上させる。
【００１３】  アプリケーションを起動することによりサーバにログインし自動で広告が配信されるので、アプリケーションの起動時間に応じてユーザーは確実にポイントを得ることができ、ユーザーに対する高い魅力を実現しより多くのユーザーを獲得する。
【００１４】  アプリケーションは、ログイン状態にあるときに常に最前面に表示することにより、広告につないでいるだけという状態を避け、常にユーザーの目に入るようにすることで広告効果を高くする。
【００１５】  アプリケーションは、ユーザーの作業の邪魔にならない程度の大きさにすることで、ユーザーのアプリケーション起動時間を高め広告の流通を促進する。
【００１６】  並行してアンケート業務を行うことで、より高いユーザーへのポイント還元を実現でき、アンケートは広告配信と同じ資源を使うことができるのでアンケート業務追加による投資はほとんどいらない。
【００１７】  アンケートは、広告配信と同様に登録ユーザーの情報をもとに行うことで例えば２０代の女性といったように特定の人物のみを対象にするようなアンケートであっても効率的に少ないコストで行える。
【００１８】  アンケートをとる場合、上記アプリケーションにてアンケートの存在をユーザーに通知し、ユーザーがアンケートの通知をクリックすることにより、そのアンケートのページをブラウザによって開く。
【００１９】  一般的な構造をもつアンケートは、アンケートプログラムをプロトタイプとして提供することにより、アンケートにかかるコストを大幅に削減すると同時に、アンケートにかかる期間を大幅に短縮し、またアンケートをブラウザベースにすることで特殊な構造をもつアンケートにも柔軟に対応する。
【００２０】  最終的にポイントは、電子商店や電子商店街などのｅコマース、その他サービスもしくは金銭によって還元される。
【発明を実施するための最良の形態】
【００２１】  図１に本発明の一実施例におけるポイント利用システム１の概要構成を示す。【００２２】  ユーザー管理サーバ１、広告配信サーバ２、ポイント管理サーバ３、アンケートサーバ４などで構成され、このシステムは一台のサーバで構成してもよいし、必要に応じてそれぞれをさらに複数のサーバに分散することもできる。【００２３】  ユーザーはネットワーク１を介しユーザー登録をし、併せて個人情報を登録し、ユーザーの個人情報は、図２のユーザー情報テーブルイメージ９のように管理されユーザー管理サーバ２によってまとめて管理される。【００２４】  広告の配信は広告配信サーバ２によって、ユーザー管理サーバ２の情報をもとに広告主の意向に沿ってアプリケーション８に対し配信する。【００２５】  同様にアンケートは、アンケートサーバ５によって、ユーザー管理サーバ２の情報をもとにアンケート事業主の意向に沿ってアプリケーション８に対し通知する。【００２６】  ユーザーに広告を配信、もしくはユーザーがアンケートに答えるたびに、ユーザーに対してポイントが加算され、そのポイントはポイント管理サーバ４によって管理される。【００２７】  ユーザーはアプリケーション８を起動することによってユーザー管理サーバ２にログインし、ログインしているユーザーに対して広告の配信、及びアンケートの通知を行う。【００２８】  ポイントはｅコマースなどの電子取引商６や、そのほかサービスによって還元され、使用ポイント分がポイント管理サーバ４から引かれる。【００２９】ポイントはｅコマースなどの電子取引商６や、そのほかサービスによって還元され、使用ポイント分がポイント管理サーバ４から引かれる。【００３０】図３はアプリケーションのイメージであり、広告表示部１１に広告配信サーバ３は広告を配信する。
【発明の効果】
【００３０】  登録ユーザーの情報を元にネットワーク広告の配信を行うことにより広告効果を効率化できる。ユーザーはアプリケーションを起動しているだけでポイントが溜まるためにユーザーにとって非常に魅力の高いものであり、併せてアンケートを行うことによりより高いユーザー還元を実現できそれによりユーザーのより高い満足を獲得し、多くのユーザーを獲得する。特定のユーザーにのみ配信できることは企業にとってはコスト面で非常に魅力的であり、より多くの広告主を獲得できる。またユーザーの居住地域を広告配信に対して加味することにより従来のマーケットにはない事業主をクライアントとして迎え入れられるため、マーケットの拡大、獲得にもつながる。さらにユーザーがどのような広告に対して反応をしめしたかということをユーザー単位でデータをあつめることでより細かい個人の特性を得ることができ、より絞った広告の配信が可能になる。
【図面の簡単な説明】
【図１】本発明の一実施例における当方式の概要構成を示す図である。
【図２】ユーザーの情報を管理するデータベースのイメージである。
【図３】アプリケーションの一例としてのイメージである。
【符号の説明】
１・・・ネットワーク
２・・・ユーザー管理サーバ
３・・・広告配信サーバ
４・・・ポイント管理サーバ
５・・・アンケートサーバ
６・・・電子取引商
７・・・ユーザー端末
８・・・アプリケーション
９・・・ユーザー情報テーブルイメージ
１０・・・アプリケーションイメージ
１１・・・広告表示部
【図１】
2005228287.tif 000003
【図２】
2005228287.tif 000004
【図３】
2005228287.tif 000005